(57)【特許請求の範囲】
【請求項１】
バッグにおける補助収容部の形成方法であって、
バッグにおける補助収容部を取り付ける取付面（２）に、補助収容部の正面板となる正面シート（３）の下方部分を取り付け、
前記正面シート（３）の反取付面側において、一対のマチ片（４）を、それぞれが対向する側に向けて倒れた状態から起立した状態に変化自在になるように、前記取付面に、間隔を置いて、互いに対向する側が自由端になるようにして一側を取り付け、
前記一対のマチ片（４）を紐状の連通手段（６）によって連通する、ことを特徴とするバッグにおける補助収容部の形成方法。
【請求項２】
前記一対のマチ片（４）の少なくとも一方に、高さ方向に向けて切り込み（５）を形成するとともに、該切り込み（５）にファスナーを備えて、前記切り込み（５）部分で開閉自在にした、ことを特徴とする請求項１に記載のバッグにおける補助収容部の形成方法。
【請求項３】
前記一対のマチ片（４）間に、前記連通手段（６）を編み込むことによって、前記連通手段（６）によって前記一対のマチ片（４）を連通したことを特徴とする請求項１又は請求項２に記載のバッグにおける補助収容部の形成方法。
【請求項４】
前記一対のマチ片（４）のそれぞれに係止金具（７）を取り付けて、該係止金具（７）を介して、前記一対のマチ片（４）を前記連通手段（６）によって連通したことを特徴とする請求項１乃至請求項３のいずれかに記載のバッグにおける補助収容部の形成方法。
【請求項５】
前記係止金具（７）は、前記連通手段（６）がスライド自在に係止される係止溝（１０）を備え、前記連通手段（６）をスライドすることで、連通手段（６）によって前記一対のマチ片（４）間の開口を緊締し、あるいは緊締を解除可能にした、ことを特徴とする請求項４に記載のバッグにおける補助収容部の形成方法。
【請求項６】
前記連通手段（６）がゴム紐であることを特徴とする請求項１乃至請求項５のいずれかに記載のバッグにおける補助収容部の形成方法。
【請求項７】
主収容部（２２）と、補助収容部（１）と、を備えたバッグであって、前記補助収容部（１）を、前記請求項１乃至請求項６のいずれかの方法によって形成したことを特徴とするバッグ。
【発明の詳細な説明】
【技術分野】
【０００１】
本発明はバッグにおける補助収容部の形成方法及びその方法により形成した補助収容部を備えたバッグに係り、より詳しくは、収容量を自在に変化させることができる補助収容部を得ることを可能にした、バッグにおける補助収容部の形成方法及びその方法により形成した補助収容部を備えたバッグに関する。
【背景技術】
【０００２】
ランドセル等のスクールバッグや、リュックサック、ビジネスバッグ、あるいはボストンバッグ等の旅行鞄等の、バッグ類、袋物は一般的に、荷物等の収容するための主収容部の他に、この主収容部に入りきらない荷物等を収容するための補助収容部を備えることが多い。
【０００３】
ここで、この補助収容部を備えたバッグについて説明すると、図１２は、補助収容部を備えたスクールバッグ４１の一部を正面側から示した斜視図である。
【０００４】
そして、この従来のスクールバッグ４１は、底板４４と、この底板４４の両端部に上方向へ連設させた大マチ部４５とで構成される胴部４３を有しており、この胴部４３の背面側には背板４６が取り付けられ、また胴部４３の正面側には大仕切板４７が取付けられており、これにより、上部を開口とした主収容部４２が構成されている。
【０００５】
そして、前記主収容部４２の正面側には、底部を備えた中マチ部４９が取り付けられており、この中マチ部４９の正面側には正面板５０が取り付けられ、この中マチ部４９と正面板５０とで、上部を開口とした補助収容部４８が構成されている。
【０００６】
そして、このような構成において、通常は前記主収容部４２内に、教科書、ノート、筆箱等を収容するが、特に学期の始まりや終りなど、学校で使用している学用品等を自宅に持ち帰り、あるいは自宅に持ち帰っていた学用品等を学校へ持って行くときなど荷物が多いときで、主収容部内にすべての教科書等を入れることができない場合には、主収容部内に入りきれない荷物を補助収容部４８に入れることとしている。
【０００７】
また、このような補助収容部４８を備えたバッグはスクールバッグに限らず、その他、リュックサック、ビジネスバッグ、あるいはボストンバッグ等の旅行バッグ等においても、主収容部の他に補助収容部を備えて、この補助収容部内に、主収容部に入りきらないに荷物、書類等を入れることとしているのが一般的である。
【先行技術文献】
【特許文献】
【０００８】
【特許文献１】特開２０００―３０８５１１号公報
【特許文献２】特開２００３−０００３２１号公報
【特許文献３】特開２００３−３０４９１６号公報
【特許文献４】特開２００４−０２４２８５号公報
【特許文献５】特開２００４−０４１２４３号公報
【特許文献６】特開２０１０−０６９２９４号公報
【発明の概要】
【発明が解決しようとする課題】
【０００９】
しかしながら、このように、主収容部の他に補助収容部を備えて、主収容部に入りきらない荷物を補助収容部に収容可能にしているバッグでも、特に厚みのある本やノート等の場合には、補助収容部に入らず、そのためにすべて荷物を一つのバッグに入れることができない場合がある。
【００１０】
その一方、このような、厚みのある本やノート等の収容を想定して補助収容部の厚みを大きくして収容量を増やした場合には、荷物が少ない場合に補助収容部の存在が邪魔になってしまうという問題点がある。
【００１１】
そこで、本発明は、主収容部に入りきらない比較的大型の荷物等でも容易に収容可能であるとともに、使用しない場合には邪魔になることのない補助収容部をバッグに形成する方法、及び、その方法により形成した補助収容部を備えたバッグを提供することを課題としている。
【課題を解決するための手段】
【００１２】
本発明のバッグにおける補助収容部の形成方法は、
バッグにおける補助収容部を取り付ける取付面に、補助収容部の正面板となる正面シートの下方部分を取り付け、
前記正面シートの反取付面側において、一対のマチ片を、それぞれが対向する側に向けて倒れた状態から起立した状態に変化自在になるように、前記取付面に、間隔を置いて、互いに対向する側が自由端になるようにして一側を取り付け、
前記一対のマチ片を紐状の連通手段によって連通する、ことを特徴としている。
【００１３】
そして、この方法により形成した補助収容部を備えた本発明のバッグは、主収容部と補助収容部を備えており、前記補助収容部を、前記の方法によって形成したことを特徴としている。
【発明の効果】
【００１４】
本発明によれば、それぞれが対向する側に向けて倒れた状態から起立した状態に変化自在な一対のマチ片を備えた補助収容部を得ることができ、この補助収容部は、何も収容していないときは一対のマチ片が互いに対向する側に向けて倒れており厚みがほとんど無い状態であり、一方、内部に荷物を入れると、一対のマチ片が起立した状態に変化して厚みが出てくることで、収容空間を広げることが可能である。
【００１５】
そのため、本発明によれば、何も入れていないときには、左右側壁を構成する一対のマチ片が倒れているために邪魔になることがなく、一方、荷物を入れた場合には、一対のマチ片が起立した状態に変化して補助収容部の収容空間を広げることが可能であるため、主収容部に入りきらない比較的大型の荷物等を容易に収容可能な補助収容部を得ることが可能である。
【図面の簡単な説明】
【００１６】
【図１】本発明のバッグにおける補助収容部の形成方法の実施例を説明するための工程図である。
【図２】本発明のバッグにおける補助収容部の形成方法の実施例を説明するための工程図である。
【図３】本発明のバッグにおける補助収容部の形成方法の実施例を説明するための工程図である。
【図４】本発明のバッグにおける補助収容部の形成方法の実施例を説明するための工程図である。
【図５】本発明のバッグにおける補助収容部の形成方法の実施例に用いる係止金具を説明するための図である。
【図６】本発明のバッグにおける補助収容部の形成方法の実施例に用いる係止金具を説明するための図である。
【図７】本発明のバッグにおける補助収容部の形成方法の実施例に用いる係止金具を説明するための図である。
【図８】本発明のバッグにおける補助収容部の形成方法の実施例におって形成された補助収容部の作用を説明するための図である。
【図９】本発明のバッグにおける補助収容部の形成方法の実施例におって形成された補助収容部の作用を説明するための図である。
【図１０】本発明のバッグの実施例の斜視図である。
【図１１】本発明のバッグの他の実施例の斜視図である。
【図１２】従来の補助収容部を説明するための図である。
【発明を実施するための形態】
【００１７】
本発明のバッグにおける補助収容部の形成方法では、まず、バッグにおける補助収容部を取り付ける取付面に、補助収容部の正面板となる正面シートの下方部分を取り付ける。
【００１８】
次に、この正面シートの反取付面側、即ち、バッグ本体から見た場合の正面シートの正面側において、取付面に一対のマチ片を取り付ける。
【００１９】
そして、一対のマチ片の取り付けに際しては、一対のマチ片のそれぞれが、対向する側に向けて倒れた状態から起立した状態に変化自在になるように、かつ、互いに対向する側が自由端になるようにして、間隔を置いて、一側を取付面に取り付ける。
【００２０】
そして、次に、このようにして取付面に取り付けた一対のマチ片を、紐状の連通手段によって連通し、これによって、補助収容部の形成が完了する。
【００２１】
そして、この方法によって形成した補助収容部を備えた本発明のバッグでは、主収容部と、補助収容部を備えており、補助収容部は、前記の方法により形成されている。
【００２２】
ここで、前記一対のマチ片は、少なくともその一方に、高さ方向に向けて切り込みを形成するとともに、この切り込みにファスナー取り付けて、ファスナーの操作により、前記切り込み部分でマチ片を開閉自在にするとよく、これにより、荷物等の出し入れが容易になる。
【００２３】
また、前記連通手段による一対のマチ片の連通に際しては、前記一対のマチ片間に、前記連通手段を編み込むとよく、これにより、容易に、一対のマチ片を、それぞれが対向する側に倒れた状態から、起立した状態に変化自在にすることができる。
【００２４】
更に、連通手段による一対のマチ片の連通に際しては、前記一対のマチ片のそれぞれに係止金具を取り付けて、この係止金具を介して、前記一対のマチ片を連通手段によって連通するとよく、その際には、前記連通手段がスライド自在に係止される係止溝を係止金具に備えて、この係止溝内で前記連通手段をスライドすることで、連通手段によって一対のマチ片間の開口を緊締し、あるいは緊締を解除可能にするとよく、これにより、荷物の出し入れ、及び入れた荷物の固定を容易に行うことが可能である。
【００２５】
また、前記紐状の連通手段としては、紐状であればいずれでも良いが、ゴム紐等の弾性を有した紐を用いることで、内部に入れた荷物等を容易に固定することも可能である。
【実施例１】
【００２６】
本発明のバッグにおける補助収容部の形成方法の実施例について図面を参照して説明すると、図１〜図４は本実施例の補助収容部の形成方法の工程を説明するための図であり、図において２は、バッグにおいて、補助収容部を形成する取付面で、本実施例の対象となるバッグは、スクールバッグ、リュックサック、ビジネスバッグ、ボストンバッグ、ハンドバッグ等、補助収容部を必要とするすべてのバッグ類、袋物である。
【００２７】
そして、本実施例によって補助収容部を形成する場合には、まず、図１に示すように、正面シートを前記取付面２に取り付ける。即ち、図において３は正面シートであり、この正面シート３は、本実施例によって形成される補助収容部の正面板及び底部分となるシートであり、本実施例においては、図２に示されているように、その下端部分を、縫製によって、前記取付面２に取り付けている。
【００２８】
ここで、図１において点線で示している部分は、矢印方向に移動して取付面２に取り付けた正面シートである。また、図２において点線で示している線は、正面シート３を取付面２に取り付けている縫い目の部分であり、図２において、正面シート３は、下端部分は前記取付面２に縫製によって取り付けられており、左右側は自由端になっている。
【００２９】
なお、正面シート３の寸法は、形成する補助収容部の大きさに応じて決められ、下端部分の取り付けに際しては、上端部分が荷物を入れやすい箇所になるように、取付面２の下方部分に取り付けると良く、取り付けの方法は、必ずしも縫製には限定されず、接着剤等を用いても良い。
【００３０】
次に、図２において、補助収容部の側壁となる一対のマチ片を前記取付面２に取り付ける。即ち、図２において４がマチ片であり、本実施例において前記マチ片４はそれぞれ、防水性能を備えた柔らかい布製としており、所定の幅を有する細長い形状とし、図３に示すように、長手方向に沿った一側部分を、他側部分が互いに対向する配置になるように、前記取付面２の左右の端部分のそれぞれに縫製によって取り付けている。
【００３１】
そして、この一対のマチ片４の取り付けに際しては、対向する側が自由端になるようにして一側を取り付けており、それにより、それぞれが、自由端を対向する側に向けて倒れた状態から、自由端を正面側に向けた起立した状態に変化自在になるようにしている。
【００３２】
また、この一対のマチ片４は、前記正面シート３の反取付面側に位置するような配置で、自由端になっている前記正面シート３の左右の端の外側において、取付面２に取り付けられる。即ち、取付面２、正面シート３、及び一対のマチ片４の順番で位置するようにして、一対のマチ片４を取付面２に取り付けるとともに、その際に、正面シート３の左右端部を自由端の状態で維持しておく。
【００３３】
なお、図２及び図３において５は、前記マチ片４の一方に、長手方向（高さ方向）に沿って形成した切り込みである。即ち、本実施例においては、長手方向（高さ方向）に沿って切り込み５が形成されるとともに、この切り込み５にファスナーが取り付けられ、操作片５０１によるファスナーの操作によって、切り込み５の部分を境に開放自在としたマチ片３を、一対のマチ片４の少なくとも一方に使用している。そのため、これにより、荷物の出し入れが容易である。但し、この切り込み５及びファスナーは、必ずしも必要なものではなく、これを備えなくても良い。
【００３４】
次に、図４において、前記一対のマチ片４を、連通手段によって連通する。即ち、図４において６が連通手段であり、本実施例においては、この連通手段６として、紐を用いている。
【００３５】
そして、本実施例においては、前記マチ片４のそれぞれの自由端部近傍に、長手方向に沿って複数個の係止金具７を取り付けており、前記連通手段６は、靴に装着した靴紐のように、係止金具７に順番に係止されつつ、一対のマチ片４間の開口部８を編みこむようにして、ジグザグ状にして、前記一対のマチ片４を連通している。
【００３６】
そして、マチ片４の連通に際しては、何らの外力も加えない通常の状態では、前記一対のマチ片４がそれぞれ、自由端部を対向するマチ片４側に向けて倒れた状態になるようにしている。
【００３７】
そのために、何も入れていない場合には、前記一対のマチ片４がそれぞれ自由端部を対向するマチ片４側に向けて倒れた状態であるとともに、それによって、前記正面シート３は前記取付面２に接触するか近接した状態である。
【００３８】
そして、内部に何かを入れた場合には、正面シート３が取付面２から離れる方向に移動するとともに、その正面シート３の両端部分に押されるようにして、前記一対のマチ片４は起立していき、これにより、収容空間を広げて収容量を増やすことが可能となる。
【００３９】
この関係を示した図が図８及び図９であり、図８及び図９は、本実施例によって形成された補助収容部を、この補助収容部を取り付けた取付面２とともに平面から見た状態を示した図である。そして、図８は、補助収容部内に何も入っておれず、従って、前記一対のマチ片４がそれぞれ自由端部を対向するマチ片４側に向けて倒れた状態を示しており、図９は、補助収容部内に何かを入れることで、正面シート３が取付面２から離れる方向に移動し、それにより、前記一対のマチ片４が、正面シート３の両端部分に押されて起立し、これにより、補助収容部の収容空間が広がった状態を示している。
【００４０】
なお、図８、９においては、理解を容易にするために連通手段６、係止金具７は省略している。また、図４において６０１は、紐６の先端部を集結している連結具である。
【００４１】
次に、前記係止金具７について説明すると、図５は本実施例における前記係止金具７の概略斜視図であり、また図６は前記係止金具７の縦断面構造を示す端面図であり、更に図７は前記係止金具７を分解した状態における縦断面図であり、図６において６は、この係止金具７に係止される紐である。
【００４２】
そして、本実施例における前記係止金具７は、係止金具本体を有しており、この係止金具本体に紐６を係止することとしている。
【００４３】
即ち、図において９が係止金具本体であり、この係止金具本体９は、図５からも明らかなように円盤状としており、雄側本体１０と雌側本体１１とで構成され、それぞれが、貫通孔１３を有する、略円柱状の嵌合突起１４を有している。そして、雄側本体１０の嵌合突起１４を雌側本体１１の貫通孔１３内に挿入することで、雄側本体１０と雌側本体１１が連結されており、連結させた嵌合突起部１４の周囲を係止溝１２としており、この係止溝１２内に紐６を係止することとし、この係止溝１２は、紐６を長手方向にスライド自在としている。
【００４４】
また、本実施例における前記係止金具７は、これを前記マチ片４に取り付けるための固定部材を有している。即ち、図において１５が固定部材であり、この固定部材１２は、前記係止金具本体９とで前記マチ片４を挟持するための押え部材１５０１と、この押え部材１５０１に連設されたピン部材１５０２とを具備しており、ピン部材１５０２は、前記貫通孔１３を貫通可能としている。
【００４５】
そして、図７に示すように、マチ片４の表面側に係止金具本体９を配設するとともに、マチ片４の裏面側には固定部材１５を配設し、ピン部材１５０２でマチ片４を貫通させるとともに、ピン部材１５０２で、係止金具本体９に形成した貫通孔１３を貫通し、これにより、押え部材１５０１と係止金具本体９とでマチ片４を挟み込み、係止金具７をマチ片４の表面側に固定することとしている。
【００４６】
また、係止金具９は前記ピン部材１５０２の先端を受け入れて固定するための受け金具を有している。即ち、図において１６が受け金具であり、この受け金具１６は、前記ピン部材１５０２の先端が貫通するとともに、貫通した状態において、ピン部材１５０２の先端部近傍に形成した嵌合溝１５０３に嵌合する嵌合突起１７０１が内壁に形成された嵌合孔１７を有している。
【００４７】
そして、マチ片４と係止金具本体９の貫通孔１３を貫通したピン部材１５０２の先端部で嵌合孔１７を貫通しつつ、ピン部材１５０２の嵌合溝１５０３内に嵌合孔１７の嵌合突起１７０１を嵌合することで、固定部材１５を係止金具本体９に固定可能としている。
【００４８】
更に、前記受け金具１６と係止金具本体９間にはバネ部材１８を介在しており、このバネ部材１８は、係止金具本体９と受け金具１６とを離反する方向へ付勢している。そのため、受け金具１６の嵌合孔１７を貫通しつつ受け金具１６に固定されたピン部材１５０２は、受け金具１６とともに、バネ部材１８の付勢力によって常に、受け金具１６側に引っ張られており、これにより、押え部材１５０１がマチ片４を押え付け、係止金具７をマチ片４に固定している。
【００４９】
そして更に、バネ部材１８の付勢力によって、係止金具本体９は受け金具１６と反対側に押されており、従って、雄側本体１０の嵌合突起１４が雌側本体１１の貫通孔１３内に挿入する方向に押されているため、これにより、係止溝１２内が狭くなり、係止溝１２内に係止している紐６が係止溝１２の内壁に圧迫されることで、紐６が容易にはスライドできないようにしている。
【００５０】
また、前記受け金具１６には、前記係止溝１２に係止した紐の脱落を防止するための脱落防止ガイド１９が取り付けられており、この脱落防止ガイド１９は、前記係止溝１２の外周側に配設され、これにより、係止溝１２に係止した紐が係止溝１２から脱落することを防止している。
【００５１】
そして、このように構成される係止金具７を用いて、一対のマチ片４を紐６で連通する場合には、前述のような方法によって係止金具７をマチ片４に取り付けた後に、連通手段としての紐６を、靴に装着した靴紐のように、係止金具７の係止溝１２内に順番に係止しつつ、一対のマチ片４間の開口部８を編みこむようにして、ジグザグ状にしていき、これにより、前記一対のマチ片４を連通する。
【００５２】
そして、この状態で、紐の上端部分を上方に引くと、紐６は係止溝１２内をスライドしていき、それにより、紐６によって、前記一対のマチ片４の自由端を互いに引き寄せて、前記一対のマチ片４間の開口を緊締することができる。
【００５３】
一方、前記一対のマチ片４間の開口を緊締している状態において、紐６の下端部分を下側に引くことで、前記と逆方向に紐６が係止溝１２内をスライドしていき、これにより、一対のマチ片４間の開口の緊締を容易に解除可能な状態にすることができる。
【００５４】
従って、本実施例においては、補助収容部内に入れた荷物等の締め付け、及びその締め付けの解除を容易に行うことが可能である。
【００５５】
なお、紐６によって一対のマチ片４を連通する場合において、必ずしも前述の構成の係止金具を用いる必要はなく、一対のマチ片４を連通手段としての紐で連通してあればよい。従って、例えば、前記一対のマチ片４のそれぞれの自由端部近傍に、上下方向に向けて複数個の挿通孔を形成し、紐６でそれぞれの挿通孔を交互に縫いながら、ジグザグ状にして前記一対のマチ片４を連通しても良い。
【００５６】
次に、このようにして形成された補助収容部を有する本発明のバッグの実施例について図面を参照して説明すると、図１０は本実施例のバッグ２１を示す概略斜視図であり、図１０に示すバッグ２１は、スクールバッグとしている。
【００５７】
そして、本実施例のスクールバッグ２１は、主収容部を有しており、この主収容部は、底部を有し、上部を開口とした箱形状としており、この主収容部内に教科書、ノート、筆箱等を収容可能としている。
【００５８】
即ち、図において２２が主収容部であり、この主収容部２２は、胴部２３と、この胴部２３の背面側に取り付けた背板２６と、前記胴部２３の正面側に取り付けた大仕切板２７とを具備して構成されている。
【００５９】
そして、前記胴部２３は、底板２４と、この底板２４の両端部に上方向へ連設させた大マチ２５とで、構成されている。
【００６０】
次に、図において２８は、前記主収容部２２の正面側に備えられた胴前収容部である。即ち、本実施例のスクールバッグ２１では、前記主収容部２２の正面側に、底部を備えた中マチ部２９が取り付けられており、この中マチ部２９の正面側には中仕切り板３０が取り付けられ、この中マチ部２９と中仕切り板３０とで、上部を開口とした胴前収容部２８が構成されている。
【００６１】
そして、この胴前収容部２８における前記中仕切板３０に、前述した補助収容部を形成している。即ち、図において１が補助収容部であり、本実施例においてこの補助収容部１は、前述したように、一対のマチ片４と正面シート３とを有しており、取付面２としての中仕切板３０に取り付けている。
【００６２】
そして、前記一対のマチ片４は、補助収容部１の左右の側壁を構成し、正面シート３は、前記一対のマチ片４間の開口８を閉鎖して補助収容部１の正面板を構成するとともに、補助収容部１の底部分を構成することとしている。
【００６３】
また、前記マチ片４はそれぞれ、所定の幅を有する細長い形状としており、長手方向に沿った一側部分を、取付面２としての前記中仕切板３０の左右端部分のそれぞれに取り付けている。
【００６４】
そして、マチ片４のそれぞれの他側部分は自由端としており、従って、一対のマチ片４間は、開口部分８とされ、一対のマチ片４はそれぞれ、自由端部を対向するマチ片４側に向けて倒れた状態から、自由端部を正面側へ向けた起立した状態に変化自在としている。
【００６５】
なお、一対のマチ片４の幅寸法は、一対のマチ片と正面板部とで構成する補助収容部１の収容量に従って決められる。即ち、収容量を大きくする場合には、一対のマチ片４の幅寸法を長くするとよい。また、一対のマチ片４の長さ寸法は、前記中仕切り板３０の縦方向の寸法以下にする。
【００６６】
次に、図において３が正面シートあり、本実施例において前記正面シート３は、四角形状の外郭を有するシート状物としており、左右の幅寸法は、一対のマチ片４を起立した際に、一対のマチ片４間に形成されている開口部分８を閉鎖可能程度としており、下端部分は前記中仕切り板３０の下方部分に取り付け、左右端部は自由端とし、これにより、正面シート３は、補助収容部１の正面側の壁を構成するとともに、補助収容部１の底部分を構成している。
【００６７】
次に、図において６が、前記一対のマチ片４を連通する連通手段としての紐であり、図４にも示されるように、係止金具７を介してマチ片４の自由端部近傍に係止されつつ、靴に装着した靴紐のように、それぞれのマチ片４の自由端部分を交互に編みこむように、ジグザグ状にして、前記一対のマチ片４を連通している。
【００６８】
そして、マチ片４の連通に際しては、何らの外力も加えない通常の状態では、前記一対のマチ片４がそれぞれ、自由端部を対向するマチ片側に向けて、倒れた状態になるようにしている。
【００６９】
そのために、補助収容部１内に何も入っていない場合には、前記一対のマチ片４がそれぞれ自由端部を対向するマチ片４側に向けて倒れた状態であるとともにそれにより、前記正面シート３は前記中仕切り板３０に接触するか近接した状態であり、一方、紐６を緩めて補助収容部１内に何らかの荷物を入れた場合は、正面シート３が中仕切り板３０から離れる方向に移動するとともに、その正面シート３の両端部分に押されるようにして、前記一対のマチ片４が自由端部を正面側に向けて起立していき、これにより、補助収容部１の収容空間を広げて、補助収容部１の収容量を増やすことが可能となる。
【００７０】
なお、図において３１は、主収容部２２の上部開口から前記補助収容部１の上部開口までを覆うことができるような長さ寸法とされた蓋であり、前記背板２６の上方部分に一側部分が取り付けられ、他側部分は自由端とされることで、開閉自在とされている。
【００７１】
また、前記背板２６には一対の肩ベルト３２が取り付けられており、この肩ベルト３２はそれぞれ、上端が背板２６の上部に取り付けられた上ベルト３３と、下端が前記背板２６の下端部分近傍に連結された下ベルト３４を有し、上ベルト３３と下ベルト３４は、コキ等の連結手段３５を介して連結されており、コキ３５に係止している下ベルト３４の長さを調整することで、肩ベルト３２の全体の長さを調整可能としている。
【００７２】
更に、本実施例においては、正面シート３の上端部近傍に連結金具３６ｂが取り付けられており、この取付金具３６ａは、前記蓋３１の先端部に備えた取付金具３６ａが係止可能であり、これにより、前記蓋３１を完全に閉めることを可能にしている。但しこの取付金具３６ａ、３６ｂは必ずしも必要ではなく、これを備えなくても良い。
【００７３】
なお、本発明のバッグはスクールバッグに限定されるものではなく、その他、リュックサック、ビジネスバッグ、旅行バッグ等、バッグや袋物全般に適用されるものであり、例えば図１１は、本発明の補助収容部１を備えた手提げ式のバッグを示している。
【００７４】
このように、本実施例によれば、それぞれが対向する側に向けて倒れた状態から起立した状態に変化自在な一対のマチ片を備えて、何も収容していないときは一対のマチ片が互いに対向する側に向けて倒れており厚みがほとんど無い状態であり、一方、内部に荷物を入れると、起立した状態に変化して厚みが出てくることで、収容空間を広げることが可能な補助収容部を得ることができる。
【００７５】
従って、本実施例によれば、主収容部に入りきらない比較的大型の荷物等でも容易に収容可能であるとともに、使用しない場合には邪魔になることのない補助収容部を備えたバッグを得ることが可能である。
【産業上の利用可能性】
【００７６】
本発明は、収容空間を可変可能として、何も入れないときには邪魔にならない補助収容部を得ることができるため、補助収容部を必要とするバッグの全般に適用可能である。
【符号の説明】
【００７７】
１    補助収容部
２    取付面
３    正面シート
４    マチ片
５    切り込み
６    連通手段（紐）
７    係止金具
８    一対のマチ片間の開口
９    係止金具本体
１０    雄側本体
１１    雌側本体
１２    係止溝
１３    貫通孔
１４    嵌合突起
１５    固定部材
１５０１    押え部材
１５０２    ピン部材
１５０３    嵌合溝
１６    受け金具
１７    嵌合孔
１７０１    嵌合突起
１８    バネ部材
１９    脱落防止ガイド
２１    スクールバッグ
２２    主収容部
２３    胴部
２４    底板
２５    大マチ
２６    背板
２７    大仕切板
２８    胴前収容部
２９    中マチ部
３０    中仕切板
３１    蓋
３２    肩ベルト
３３    上ベルト
３４    下ベルト
３５    連結手段（コキ）
３６ａ、３６ｂ    取付金具
【図１】
0005525363.tif 000002
【図２】
0005525363.tif 000003
【図３】
0005525363.tif 000004
【図４】
0005525363.tif 000005
【図５】
0005525363.tif 000006
【図６】
0005525363.tif 000007
【図７】
0005525363.tif 000008
【図８】
0005525363.tif 000009
【図９】
0005525363.tif 000010
【図１０】
0005525363.tif 000011
【図１１】
0005525363.tif 000012
【図１２】
0005525363.tif 000013